【事件の表示】
　特願２０１２−　３３２７７「電子機器」拒絶査定不服審判事件〔平成２４年　９月２７日出願公開、特開２０１２−１８５８１５〕について、次のとおり審決する。
【結　論】
　本件審判の請求は、成り立たない。
【理　由】
１．手続の経緯
　本願は、平成２４年２月１７日（優先権主張２０１１年２月１８日）の出願であって、平成２７年９月２５日付けで拒絶査定がなされ（発送日：同月２９日）、これに対して同年１２月２４日に審判の請求がなされ、その後、平成２８年６月２４日付けで当審より拒絶理由が通知され、同年８月２６日に手続補正がされるとともに意見書が提出されたものである。
２．本願発明
　本願の請求項１に係る発明（以下、「本願発明」という。）は、平成２８年８月２６日付け手続補正書の特許請求の範囲に記載された次のとおりのものである。
　「【請求項１】
　タッチパネルと、
　該タッチパネルの裏面に配置されて該タッチパネルを振動させて触感を呈示する振動部と、
　該タッチパネルが配置される開口部を有する支持部材と、
を備えた電子機器であって、
　上記タッチパネルの外縁全周にわたり、該外縁と上記支持部材の開口部内の側面との間に、弾性架設部材を、伸縮可能かつ外気遮断可能に設置し、
　前記弾性架設部材の厚さは、前記外縁と、前記開口部内の側面との間の中央付近程薄いことを特徴とする電子機器。」
３．引用文献１、引用発明
（１）　引用文献１、引用発明について
　平成２８年６月２４日付けの拒絶理由通知に引用された、本願優先日前に公開された、特開２００９−１１１８４７号公報（以下、「引用文献１」という。）には、図面とともに下記の記載がある（下線は、特に着目した箇所を示す。以下同様。）。 
（１）　【請求項５】
「【請求項５】
  前記窓材の内側面には
前記窓材を振動させるアクチュエータが設けられている
（２）　段落【００１２】−【００２５】（〔第１実施形態〕）
「【００１２】
〔第１実施形態〕
　図１は本発明の第１の実施形態に係る
電子機器として、携帯電話機１
携帯電話機１は、上ケース１０と、下ケース２０と、Ｏリング３１と、上ケース１０と下ケース２０とを締結する締結ネジ３０と、等から概略構成され
【００１３】
　Ｏリング３１はゴム等の弾性材からなり、上ケース１０の背面と下ケース２０の前面との間において、外周部に沿って環状に配置される。図３に示すように、Ｏリング３１は締結ネジ３０を締めることで上ケース１０の背面及び下ケース２０の前面の外周部と当接し、上ケース１０と下ケース２０との隙間を封止する。
【００１４】
　
上ケース１０は、枠材１１と、キー部シール材１３と、窓材１４と、窓部シール材１５とからな
【００１５】
　また、
枠材１１には、表示部が設けられる位置に開口１７が設けられ
開口１７の内縁部には窓部シール材１５が設けられ
窓部シール材１５はゴム等の弾性材からなり、窓部シール材１５により開口１７の内部に窓材１４が固定され
【００１６】
　
窓材１４はガラスまたは透明な樹脂等からなり、窓材１４の背面側には下ケース２０内に収納される表示装置２２が配置され、窓材１４と表示装置２２により表示部が形成され
【００１７】
　また、
窓材１４の背面には、
窓材１４を振動させるアクチュエータ１８が取り付けられ
アクチュエータ１８は窓材１４をパネルスピーカの振動板として機能させ
窓材１４は弾性材からなる窓部シール材１５を介して枠材１１に支持されているため、枠材１１とは独立して振動させることができ
【００１８】
　
上ケース１０はインサート成形により形成され、枠材１１と窓材１４とが窓部シール材１５により一体に形成され
【００１９】
　下ケース２０は前面に凹部２１が形成され、凹部２１の内部には、表示装置２２や、図示しないが、メイン基板等が収納される。
【００２０】
　ここで、上ケース１０のインサート成形に用いる型枠について説明する。
　上ケース１０のインサート成形には、図４（ａ）〜（ｄ）に示すように、下型枠４０及び上型枠５０を用いる。下型枠４０の上面及び上型枠５０の下面には、窓部シール材１５を形成するための環状の溝４１，５１が設けられている。さらに、キー部シール材１３もインサート成形により一体に形成する場合には、下型枠４０の上面及び上型枠５０の下面に、キー部シール材１３を形成するための凹部（図示せず）をそれぞれ形成する。
【００２１】
　以下、インサート成形の手順について図４（ａ）〜（ｄ）を用いて説明する。
　まず、図４（ａ）に示すように、溝４１の上に窓材１４の外周部が配置されるように、下型枠４０の上に窓材１４を載置する。また、溝４１の上に枠材１１の開口１７の周縁部が配置されるように、下型枠４０の上に枠材１１を載置する。
【００２２】
　次に、図４（ｂ）に示すように、上型枠５０を枠材１１及び窓材１４の上に載せ、下型枠４０との間に挟持する。
　その後、図４（ｃ）に示すように、溝４１，５１に窓部シール材１５の原料となる弾性体材料１５ａを注入し、固化させる。キー部シール材１３もインサート成形により一体に形成する場合には、キー部シール材１３を形成するための凹部にも弾性体材料を注入し、固化させる。
【００２３】
　注入した弾性体材料が固化したら、図４（ｄ）に示すように、上型枠５０を持ち上げ、成型品を取り出す。
　以上により、図５に示すような上ケース１０が完成する。
【００２４】
　このように形成された上ケース１０では、
枠材１１、窓材１４、及び窓部シール材１５がインサート成形により一体に形成されているので、枠材１１と窓材１４との隙間を容易かつ確実に塞ぎ、完全に防水することができる
【００２５】
　また、枠材１１の開口１７の内部に窓材１４を配置した状態でインサート成形を行うため、枠材１１の開口１７の縁部と窓材１４の外周部とを重ねて接着する場合と比較して、上ケース１０の厚さを小さくすることができる。さらに、キー部シール材１３もインサート成形により一体に形成する場合には、貫通孔１６を容易かつ確実に塞ぎ、完全に防水することができる。加えて、枠材１１にキー部シール材１３を貼り付ける工程が不要となり、携帯電話機１の組立工程を簡略化することができる。」
（３）　段落【００２６】−【００２９】（＜第１変形例＞〜＜第４変形例＞）
「【００２６】
＜第１変形例＞
　なお、図５においては、窓部シール材１５が上ケース１０の前面側及び背面側に突出する形状であったが、上型枠５０から溝５１を省略することで、
図６に示すように、窓部シール材１５を背面側のみに突出した形状としてもよい
このように成型することで、上ケース１０の前面を平坦に形成し、上ケース１０の厚さを低減することができる
【００２７】
＜第２変形例＞
　あるいは、下型枠４０から溝４１を省略するとともに、上型枠５０から溝５１を省略することで、
図７に示すように、窓部シール材１５を前面及び背面のいずれにも突出しない形状としてもよい
このように成型することで、上ケース１０の両面を平坦に形成し、上ケース１０の厚さをさらに低減することができる
【００２８】
＜第３変形例＞
　また、
図８に示すように、窓材１４の表面に樹脂フィルム１４ａを張り
樹脂フィルム１４ａとしてはガラス破損時の飛散防止用の保護フィルムや覗き見防止用のフィルム等を用いることができる
【００２９】
＜第４変形例＞
　また、上記実施形態においては、枠材１１、窓材１４、及び窓部シール材１５をインサート成形により一体に形成したが、本発明はこれに限らず、図９に示すように、窓材１４と一体に形成された表示装置２２そのものを枠材１１の開口１７の内部に配置し、枠材１１、表示装置２２、及び窓部シール材１５をインサート成形により一体に形成してもよい。
この表示装置２２には、タッチセンサ等の入力装置が組み込まれていてもよい
　よって、特に上記（２）の〔第１実施形態〕（段落【００１２】−【００２５】）の下線部の記載を参照すれば、関連図面と技術常識に照らし、引用文献１には次の発明（以下、「引用発明」という。）が記載されていると認められる。
　
「電子機器としての、携帯電話機１であって、
　携帯電話機１は、上ケース１０と、下ケース２０と、Ｏリング３１と、上ケース１０と下ケース２０とを締結する締結ネジ３０と、等から概略構成され、
　上ケース１０は、枠材１１と、キー部シール材１３と、窓材１４と、窓部シール材１５とからなり、
　枠材１１には、表示部が設けられる位置に開口１７が設けられ、開口１７の内縁部には窓部シール材１５が設けられ、
　窓部シール材１５はゴム等の弾性材からなり、窓部シール材１５により開口１７の内部に窓材１４が固定され、
　窓材１４はガラスまたは透明な樹脂等からなり、
　窓材１４の背面側には下ケース２０内に収納される表示装置２２が配置され、窓材１４と表示装置２２により表示部が形成され、
　窓材１４の背面には、窓材１４を振動させるアクチュエータ１８が取り付けられ、アクチュエータ１８は窓材１４をパネルスピーカの振動板として機能させ、窓材１４は弾性材からなる窓部シール材１５を介して枠材１１に支持されているため、枠材１１とは独立して振動させることができ、
　上ケース１０はインサート成形により形成され、枠材１１と窓材１４とが窓部シール材１５により一体に形成され、
　枠材１１、窓材１４、及び窓部シール材１５がインサート成形により一体に形成されているので、枠材１１と窓材１４との隙間を容易かつ確実に塞ぎ、完全に防水することができる、
　電子機器としての、携帯電話機１。」
４．対比
　請求項１に係る発明（以下、「本願発明」という。）と引用発明とを対比する。
　
（１）　引用発明の「窓材１４」は、「窓材１４はガラスまたは透明な樹脂等からなり、
窓材１４の背面側には
表示装置２２が配置され
（２）　引用発明の「アクチュエータ１８」は、「
窓材１４の背面には
窓材１４を振動させるアクチュエータ１８が取り付けられ
パネル
タッチ
タッチ
触感を呈示する
該パネル
該パネル
（３）　引用発明の「枠材１１」は、「枠材１１には、表示部が設けられる位置に
開口１７
開口１７の内部に窓材１４が固定され
パネル
（４）　引用発明の「
電子機器
（５）　引用発明の「窓部シール材１５」は、「ゴム等の
弾性材
窓材１４が固定され
  引用発明の「窓部シール材１５」について、「窓材１４は弾性材からなる窓部シール材１５を介して枠材１１に支持されているため、
枠材１１とは独立して振動させることができ
枠材１１と窓材１４との隙間を容易かつ確実に塞ぎ
完全に防水することができる
タッチ
パネル
　したがって、本願発明と引用発明との一致点・相違点は次のとおりである。
　
＜一致点＞
「パネルと、
　該パネルの裏面に配置されて該パネルを振動させる振動部と、
　該パネルが配置される開口部を有する支持部材と、
を備えた電子機器であって、
　上記パネルの外縁全周にわたり、該外縁と上記支持部材の開口部内の側面との間に、弾性架設部材を、伸縮可能かつ外気遮断可能に設置した、
ことを特徴とする電子機器。」である点。
＜相違点１＞ 
　本願発明では、パネルが「タッチパネル」であって、「
タッチパネル
タッチパネル
該タッチパネル
該タッチパネル
上記タッチパネル
＜相違点２＞ 
　本願発明では、振動部が「該タッチパネルの裏面に配置されて該タッチパネルを振動させて
触感を呈示する
＜相違点３＞ 
　本願発明の「弾性架設部材」は、「前記弾性架設部材の厚さは、前記外縁と、前記開口部内の側面との間の中央付近程薄いこと」を特徴とするのに対して、引用発明の「窓部シール材１５」は、「厚さは、前記外縁と、前記開口部内の側面との間の中央付近程薄い」ことは、特定がなされていない点。
５．当審の判断
＜相違点１＞について
　携帯電話機等の電子機器において、タッチ入力機能を付加するために、表示部の前面に表示部の保護も行う「タッチパネル」を設けることは、下記＜引用文献５−７＞に記載されるように、周知技術である。
＜引用文献５：特開２０１０−１５７０３７号公報＞
（図２、段落【００２１】「〔第１実施形態〕図１〜図３に示すように、パネル部材の一例である
保護パネル４を有する携帯電話機１は
表示装置３
保護パネル４
保護パネル４としては
所謂タッチ入力機能を備えるものと、そのタッチ入力機能を備えていないものとを選択でき
＜引用文献６：特開２００８−２１６７３３号公報＞
（図１、段落【０００２】「現在、表示素子本体である表示パネルとして液晶表示ディスプレイ(ＬＣＤ)などを用いた表示素子を有する
携帯電話機などの各種電子機器は、その表示素子を、水、塵埃、あるいは外力などから保護するために、表示パネルが直接露出する構造とせずに、外側に透明プラスチック板などによる窓材を設け、窓材と表示パネルとの間に空隙を形成する構造としている
なお
窓材２は、タッチパネルを兼用する構造を有したものでもよい
＜引用文献７：特開２００８−１８１３６５号公報＞
（図６、段落【０００４】「…
フロントケース１には表示窓３が形成されており
タッチパネル４が取り付けられる
６はタッチパネルと対向して配置されたＬＣＤ等の表示装置
９はタッチパネル４の一端側に貼り付けられたフォースリアクタ等の振動素子である
　一方、引用文献１には、段落【００２９】に、〔第１実施形態〕の＜第４変形例＞として、窓材１４と一体に形成された表示装置２２そのものを枠材１１の開口１７の内部に配置する場合について、「この表示装置２２には、タッチセンサ等の入力装置が組み込まれていてもよい」旨が記載されているから、引用文献１には、＜第４変形例＞として、タッチ入力機能を付加することについて開示があるといえる。
　よって、引用発明において、タッチ入力機能を付加するために、表示部の手前にタッチ入力用の「タッチパネル」を設ける周知技術を採用して、表示装置の前面の「窓材１４」を「タッチパネル」とすることによって、「
タッチパネル
タッチパネル
該タッチパネル
る振
該タッチパネル
上記タッチパネル
＜相違点２＞について
　アクチュエータによりパネルを振動させるものにおいて、振動によって「音」を発生することも、「触覚」を発生することも、例えば、平成２８年６月２４日付けの拒絶理由で引用された＜引用文献５＞、＜引用文献８＞、及び、＜特開２００２−１４９３１２号公報＞に記載されるように、いずれも周知技術であって、普通に行われている。
　さらに、＜引用文献８＞、及び、＜特開２００２−１４９３１２号公報＞に記載されるように、同一の振動装置を、「音」と「触覚」の発生に兼用することも周知技術である。
＜引用文献５：特開２０１０−１５７０３７号公報＞
（段落【０００４】「そこで、特許文献１や特許文献２のように、
可動板や支持基板を振動させることにより、押圧した指から感触せしめるフォースフィードバック型タッチパネル
パネルスピーカにおいても、パネルとして兼用される音響振動板を加振ドライバにて振動させることにより音声を出力するような構成となっている。
＜引用文献８：特開２００５−２２８１６１号公報＞
（段落【０００３】−【０００４】「しかしながら、上述のパネル状の入力装置を例えば入力スイッチとして用いる場合、
タッチパネルのような平面状スイッチは、
使用者が押下したと認識しにくいという問題点があった
指等に触覚刺激を与える装置１０の構成が開示されている
しかしながら、
大きな変位量を取ることができないため、押下によりパネルが持ち上がるクリック感を出すことが困難である
そこで、本発明は、これらの問題を解決するためになされたもので
平面板に大きなストロークの振動を与えることが可能な平面板振動装置を提供することを目的とする
さらに、本発明による平面板振動装置は、タッチパネルからの入力情報に応じて所望の波形及び強さの電流をコイルに与えることによって、タッチパネルに任意の振動を与えることが可能であるため、タッチパネルの振動によって所望の音を発生させることが可能である
＜特開２００２−１４９３１２号公報＞
（段落【００７５】「
なお、この振動アクチュエータ１１５のコイル１２１に可聴帯域の音声信号を印加すると
音声信号に応じた音を発生させることができる
このように振動発生器と発音源を兼用することができると、例えば、携帯電話機やページャなどの小型電子機器において、構成部品の設置スペースを大幅に節約できる
　引用発明は、アクチュエータで窓材１４（パネル）を振動させ、音を発生するものであるが、引用発明のアクチュエータによる窓材１４（パネル）の振動を、触覚の発生にも転用できることは、引用文献１に接した当業者であれば、明らかである。
　上記のとおり、アクチュエータによりパネルを振動させることによって、「音」を発生することも、「触覚」を発生することも、周知技術であり、普通に行われていることを考慮すると、引用発明において、「窓材１４」を周知技術である「タッチパネル」とする際に、窓材１４（パネル）を振動させる「アクチュエータ１８」を、「触覚」の発生に転用することによって、振動部が「
触感を呈示する
＜相違点３＞について
　引用発明において、「窓部シール材１５」の部材としての具体的な厚みや形状は、シール材としての必要な強度や、振動に対する変形のしやすさ等の種々の条件を考慮して、当業者が適宜選択できる設計的事項であると認められる。
　引用文献１には、図５−７、段落【００２６】−【００２７】を参照すると、〔第１実施形態〕に対する＜第１変形例＞、及び、＜第２変形例＞として、窓部シール材１５の前面側と背面側に突出する形状に加えて、図６のように、窓部シール材１５の前面のみを平坦に形成できること、図７のように、窓部シール材１５の両面を平坦に形成できることが列記されていることからも、引用発明の「窓部シール材１５」の具体的な厚みや形状が、種々の条件を考慮して、当業者が適宜選択できる設計的事項であるといえる。
　一方、部材の一部を、より変形しやすくするために、他の部分よりも薄くするなど外形を変えることは、拒絶査定で引用された、＜引用文献３：特開２００５−２２８０４０号公報＞（図１−３、段落【００１９】、【００２３】の「
薄肉部
「凹溝７」（弧状面８）
＜引用文献５：特開２０１０−１５７０３７号公報＞
（図１０、段落【００６２】−【００６３】「保護パネル４の低剛性部分は、保護パネル４の周縁部４Ａ全体に形成されている必要はなく、例えば、保護パネルの隅部や一辺の長さにも満たない小領域等のように、保護パネル４の周縁部４Ａの少なくとも一部に形成されていればよい。
保護パネル４の周縁部４Ａの一部であっても剛性を低下させた低剛性部分が形成されていれば、保護パネル４の一部のみが振動しやすくなり
保護パネル４の一部を低剛性部分にするための方法としては、保護パネル４に凹状溝部４ａを形成する方法に限定されることはなく、例えば、保護パネル４の厚みを単に変えるだけの方法や
パネル部材４の裏面に形成される凹状溝部４ａは
全周囲に設けられていてもよい
＜引用文献８：特開２００５−２２８１６１号公報＞
（図４（ａ），（ｂ）、段落【００４５】「固定部材１０１は、
図４（ａ）に示すように、略矩形外周部中央に突起状の凸部１０１ｂが形成されていても良い。このように形成することによって、平坦なものに比べて、タッチパネル１０２の上下動による小さな力または応力で大きな変位量を与えることが可能となる
図４（ｂ）に示すように、
このような構成にすることによって、平面板振動装置１００の外部又はタッチパネル１０２の入力面側から水やチリ等の不純物が付与された場合でも、コイル部１０３や磁界発生手段１０５が設けられたタッチパネル１０２の裏面側には入り込まないようにすることができる
＜引用文献９：特開２０００−２１７１９２号公報＞
（図８（ａ）、段落【００１５】「
本発明によれば、エッジは、その略中央近傍で薄くされ、
従って、エッジの中央近傍で剛性が低く
エッジの中央近傍で剛性が低いため、振動板の振動振幅が一定範囲内であれば、エッジ中央近傍が容易に変形し
図８は、エッジの断面形状の各種変形例を示している。図８（ａ）のエッジ８１は全体に平坦であり
各エッジ８１〜９０のいずれも、中央部が薄く、
　よって、引用発明において、部材の一部を、より変形しやすくするために、他の部分よりも薄くするなど外形を変える周知技術を採用して、このとき、引用発明の弾性部材について、中央付近を薄くするように外形を変えることを選択することによって、「前記弾性架設部材の厚さは、前記外縁と、前記開口部内の側面との間の中央付近程薄い」、上記＜相違点３＞に係る構成とすることは、当業者が容易に想到し得たものである。
　さらに、本願発明の効果も、引用発明及び周知技術に基づいて、当業者が予測し得る範囲内のものである。
６．むすび
　したがって、本願発明は、引用発明、及び、周知技術に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。